(57)【要約】　　　（修正有）【課題】空気の吹込みにより膨出立体化し、しかも卓上などに安定性よく飾って楽しむことができるとともに、その立体状態をよく維持でき、また、送り主やメッセージをいつでも判読することができる風船型カードを提供する。【解決手段】カード本体１に折り畳み自在な風船部体の下部を接合し、前記カード本体には風船部体の内部と通じる空気吹き込み孔を設けている。【効果】空気の吹込みにより扁平な状態から膨出立体化し、不思議な興趣のあるカードにすることができ、卓上などに安定性よく飾って楽しむことができる。【選択図】図２
0003098037.tif 000002
【実用新案登録請求の範囲】
【請求項１】
カード本体に折り畳み自在な風船部体の下部を接合してなり、前記カード本体には風船部体の内部と通じる空気吹き込み孔を設けたことを特徴とする風船型カード。
【請求項２】
前記風船部体が２個以上の単位風船からなり、それら複数の風船が相互に接合されるとともに連通孔を介して通じ合っているものを含む請求項１に記載の風船型カード。
【請求項３】
風船部体は装飾片が添着されているものを含む請求項１に記載の風船型カード。
【考案の詳細な説明】
【０００１】
【考案の属する技術分野】
本考案は立体化できるカードとりわけ風船型カードに関する。
【０００２】
【従来の技術】
クリスマスカードで代表されるカードとして種々の形態のものが提案されており、その中に紙風船を組み合わせたものが知られている。
こうした紙風船型のカードに関し、従来ではスイカ、トマト、金魚などの形状と色彩、模様にした紙風船の上部に吊紐を取付け、下部に短冊状などの輪郭としたカードを紐などで連結した構造となっていた。
【０００３】
しかし、このようなカード構造は、吊り形態であるため、いちいち吊持のための手段を用意したりしなければならず、また、吹き込んだ空気が漏れて短期間のうちにしぼみやすく、また手元から遠い位置でゆらゆらしているため、カードに記載されたメッセージの内容を読んだりすることが容易でないという問題があった。
【０００４】
【考案が解決しようとする課題】
本考案は前記のような問題点を解消するためになされたもので、その目的とするところは、空気の吹込みにより膨出立体化し、しかも卓上などに安定性よく飾って楽しむことができるとともに、その立体状態をよく維持でき、また、送り主やメッセージをいつでも判読することができる風船型カードを提供することにある。
【０００５】
【課題を解決するための手段】
上記目的を達成するため本考案は、カード本体に折り畳み自在な風船部体の下部を接合してなり、前記カード本体には風船部体の内部と通じる空気吹き込み孔を設けたことを特徴としている。
【０００６】
また、本考案は、前記風船部体が２個以上の単位風船からなり、それら複数の風船が相互に接合されるとともに連通孔を介して通じ合っているものを含んでいる。
また、前記風船部体は装飾片が添着されているものを含んでいる。
【０００７】
【考案の実施の形態】
以下添付図面を参照して本考案の実施例を説明する。
図１ないし図６は本考案による風船型カードをクリスマスカードに適用した実施例を示しており、図１と図２はパッケージ状態を、図３と図４は使用状態を、図５と図６は使用開始時の状態をそれぞれ示している。
【０００８】
１はカード本体であり、上面側に紙風船部体２を一体に取り付けている。
前記カード本体１は、テーブルなどに載置したときのベースないし土台としても機能するので、厚紙など適度に重さや剛性のある素材で作られている。輪郭形状は円形など任意であり、この例では、表面に「ＭＥＲＲＹ　ＣＨＲＩＳＴＭＡＳ」の文字が印刷されている。
カード本体１の背面（下面）には少なくともメッセージ表示部１００が設けられ、この例では送り主表示部１０１と受け取り主表示部１０２が設けられている。
【０００９】
風船部体２はこの例では上下２個の単位風船２ａ、２ｂからなっており、下位の単位風船２ｂは所要範囲の下部２０がカード本体１に接合されている。下部２０には通孔２００が形成されており、この通孔２００に連通するようにカード本体１には空気吹込み孔１０が設けられている。
下位の単位風船２ｂの上部２１は上位の単位風船２ａの下部２２と所要範囲で接合されており、それら接合した部分２１，２２には連通孔２１０，２２０が形成されている。上位の単位風船２ａはそれ以外の部分に通孔はなく、吹き込まれた空気が上位の単位風船２ａからは抜けないようになっている。
【００１０】
３は前記風船部体２に添着した装飾片であり、通常、風船部体２とともに折り畳めるように紙やプラスチックシートなどの薄層材料で構成される。
この例では風船部体２を含む全体でサンタクロースを表現するようにしているため、複数の片を所要位置に配して風船部体２に基部を接合している。
【００１１】
この例では、帽子を模した片３ａを上位の単位風船２ａの上部に、顔面部位を模した片３ｂの所要範囲を上位の単位風船２ａの前面部に、腕を模した片３ｃ、３ｃを下位の単位風船２ｂに、足を模した片３ｄ、３ｄの基部を下位の単位風船２ｂにそれぞれ接合している。
【００１２】
前記下位の単位風船２ｂと上位の単位風船２ａは、それぞれ赤道線に沿って椀状に二つ折りされ、二つ折りされた下位の単位風船２ｂの上面側に添うように腕を模した片３ｃ、３ｃが位置し、椀状の下位の単位風船２ｂに大部分が内包されるように椀状の上位の単位風船２ａが位置し、この状態で風船部体２はカード本体１との接合範囲を除いて折り畳まれ、図１のように平面フットボール状をなした扁平状態となる。足を模した片３ｄ、３ｄは外方に延び、顔面部位を模した片３ｂはこれが大きい場合には半部から折り畳まれる。
そして、全体は包装袋４に収納され、販売に供される。
【００１３】
図示するものは本考案の１例であり、種々の態様を取ることができる。
１）本考案はクリスマスカードに限らず、年賀カード、バレンタインカード、書中見舞い、誕生日祝などの各種祝カードなどあらゆるカードに適用される。また、本考案で「風船」とは、薄紙からなる場合のほか、プラスチックフイルムあるいはシートで作られている場合など広範な概念を含む。
２）風船部体２の大きさ、形状は任意であり、実施例のように２個からなる場合のほか、１個の場合、あるいは３個以上の場合を含んでいる。また、複数個の単位風船は必ずしも上下に連なる場合に限らない。
【００１４】
３）風船部体２はこの実施例ではカード本体１の中央部分に存するだけであるが、図７のように、カード本体１の中央部分と側方に存していてもよく、その場合、各風船部体２の下位単位風船２ｂの下部とそれに対応するカード本体１には通孔と空気吹込み孔が設けられる。
【００１５】
【実施例の作用】
本考案のカードは、販売状態では図１，２のように扁平の状態にあるので、カードを贈るときにはカード本体１の背面に所望のメッセージや送り主、受け取り主を記載すればよい。
受け取った側は、メッセージを読んで楽しむほか、図５，６のように風船部体２を椀状に広げ、カード本体１の背面にある空気吹込み孔１０から、空気を吹き込む。
【００１６】
こうすれば、注入された空気によって下位の単位風船２ｂが膨らみ、下位の単位風船２ｂと連通孔２１０、２２０を介して上位の単位風船２ａが通じているため、続いて上位の単位風船２ａも膨らみ、その膨張作用で装飾片３が起立傾向となり、図３のような立体状態となる。
【００１７】
このため、不可思議で面白みのある形象が創成され、そのままカード本体１をテーブルＡなどの上に配置することによって、間近の位置で楽しむことができ、贈り主やメッセージもいつでも読み取ることができる。
風船部体２はカード本体１で支持されているので転倒したりせず安定しており、またカード本体１がテーブルＡなどに接することにより空気吹込み孔１０が閉じられるので、ことさら封止を行なわなくとも、充填した空気が抜けにくく、比較的長い期間にわたって良好なふくらみ状態を維持することができる。
【００１８】
図７のように複数の風船部体２を配したときには、それぞれの風船部体２の下部位置で空気を吹き込むことにより、メインと周囲のサブの膨出体が現われ、さらに一層面白みのある玩具型カードとすることができる。
【００１９】
【考案の効果】
以上説明した本考案の請求項１によるときには、カード本体１の上面に折り畳み自在な風船部体２の下部を接合してなり、前記カード本体１には風船部体の内部と通じる空気吹き込み孔１０を設けたので、空気の吹込みにより扁平な状態から膨出立体化し、不思議な興趣のあるカードとすることができ、しかもカード本体１がベースとしても機能するので、卓上などに安定性よく飾って楽しむことができるとともに、空気吹き込み孔１０がカード本体１の設置によって閉じられるので、立体状態をよく維持でき、また、カード本体１が間近にあるため、送り主やメッセージをいつでも判読することができるなどのすぐれた効果が得られる。
【００２０】
請求項２によれば、風船部体２が２個以上の単位風船２ａ、２ｂからなり、それら複数の単位風船が相互に接合されるとともに連通孔を介して通じ合っているので、単純な形態でなく、雪だるま、動物や人の胴部と頭部などさまざまなものを具象化することができ、興趣を高めることができるというすぐれた効果が得られる。
請求項３によれば、風船部体２は装飾片３が添着され、風船部体２の膨張とともに外方に張り出すので、一層面白さを増し、商品価値を高めることができるというすぐれた効果が得られる。
【図面の簡単な説明】
【図１】本考案による風船型カードの一実施例を畳んだ状態で示す平面図である。
【図２】一実施例を畳んだ状態で示す背面図である。
【図３】使用状態を示す斜視図である。
【図４】図４の部分的断面図である。
【図５】図１の状態から使用に移すために開いた状態の平面図である。
【図６】（ａ）は図５のＶＩ−ＶＩ線に沿う断面図、（ｂ）は（ａ）の一部拡大図である。
【図７】本考案の他の実施例を示す部分切欠側面図である。
【符号の説明】
１　　カード本体
２　　風船部体
２ａ、２ｂ　単位風船
３　　装飾片
１０　空気吹込み孔
２００　通孔
２１０，２２０　連通孔
【図１】
0003098037.tif 000003
【図２】
0003098037.tif 000004
【図３】
0003098037.tif 000005
【図４】
0003098037.tif 000006
【図５】
0003098037.tif 000007
【図６】
0003098037.tif 000008
【図７】
0003098037.tif 000009